(57)【要約】【課題】  本発明は平衡伝送用ケーブルコネクタに関し、ペア電線が中継配線基板に半田付けしてある部分における、入力信号と出力信号とのクロストークを改善することを目的とする。【解決手段】  中継配線基板２００は、配線パターンがビアを介して中継配線基板の表面２００ａと裏面２００ｂとにまたがって形成してあり、出力信号用のワイヤ接続用パッド２２１〜２２８が中継配線基板の表面２００ａに配置され、入力信号用のワイヤ接続用パッド２４１〜２４８が中継配線基板の裏面２００ｂに配置されている構成である。ペア電線は、その二本のワイヤが中継配線基板の同じ面のワイヤ接続用パッドに半田付けしてある。出力信号が伝送されるペア電線の半田付け部分と、入力信号が伝送されるペア電線の半田付け部分とは、中継配線基板２００の内部のグランド層２０１、２０２によってシールドされており、出力信号が伝送されるペア電線の半田付け部分及び入力信号が伝送されるペア電線の半田付け部分における入力信号と出力信号とのクロストークが中継配線基板２００自体でもって改善される。【選択図】  図８
2006073269.tif 000002
【特許請求の範囲】
【請求項１】
電気絶縁性のブロック体に複数のコンタクトが、平衡伝送可能に複数の対をなし、且つ、この複数の対が、信号を出力するための複数の出力信号用コンタクト対と信号を入力するための複数の入力信号用コンタクト対とに分けられて組み込んである構造であるコンタクト組立体と、
複数のシールドされているペア電線を有し、且つ、二本のワイヤが各ペア電線の端より露出している構成のケーブルと、
一側に上記コンタクト組立体のコンタクトと接続されるコンタクト接続用パッドを中継配線基板の表面のコンタクト接続用パッドと中継配線基板の裏面のコンタクト接続用パッドとが対をなす関係で有し、他側にケーブルの各ペア電線のワイヤが接続されるワイヤ接続用パッドを有し、コンタクト接続用パッドとワイヤ接続用パッドとを接続する配線パターンを有し、且つ、内部にグランド層を有する中継配線基板とを有し、
該中継配線基板が、そのコンタクト接続用パッドをコンタクトと接続されて上記コンタクト組立体の背面側に取り付けてあり、
且つ、上記ケーブルの各ペア電線の端のワイヤが上記ワイヤ接続用パッドと接続固定されている構成の平衡伝送用ケーブルコネクタにおいて、
上記出力信号用コンタクト対を構成するコンタクトとつながっている出力信号用ワイヤ接続用パッドに接続固定してあるワイヤと、上記入力信号用コンタクト対を構成するコンタクトとつながっている入力信号用ワイヤ接続用パッドに接続固定してあるワイヤとの間をシールドするシールド手段を有する構成としたことを特徴とする平衡伝送用ケーブルコネクタ。
【請求項２】
請求項１に記載の平衡伝送用ケーブルコネクタにおいて、
上記中継配線基板は、上記出力信号用コンタクト対に接続されるコンタクト接続用パッドとつながっている出力信号用ワイヤ接続用パッドが該中継配線基板の表面及び裏面のうち一方の面に隣り合って配置され、上記入力信号用コンタクト対に接続されるコンタクト接続用パッドとつながっている入力信号用ワイヤ接続用パッドが該中継配線基板の反対側の面に隣り合って配置されている構成であり、
各ペア電線がその二本のワイヤが上記中継配線基板の同じ面の隣り合って対をなす出力信号用或いは入力信号用ワイヤ接続用パッドに接続固定されており、
上記シールド手段は、上記中継配線基板の内部の上記グランド層によって構成してあることを特徴とする平衡伝送用ケーブルコネクタ。
【請求項３】
請求項１に記載の平衡伝送用ケーブルコネクタにおいて、
上記シールド手段は、
板状であり、各ペア電線の端より露出しているワイヤの長さよりも長く、且つ、中継配線基板の端を挟む挟み部を有するシールド部材であり、
該シールド部材が、その挟み部が上記中継配線基板の端を挟んで、上記中継配線基板の表面のグランドパターンと電気的に接続されて、且つ、上記中継配線基板に接続固定してあるワイヤに対向して配置してある構成であることを特徴とする平衡伝送用ケーブルコネクタ。
【請求項４】
電気絶縁性のブロック体に複数のコンタクトが、平衡伝送可能に複数の対をなし、且つ、この複数の対が、信号を出力するための複数の出力信号用コンタクト対と信号を入力するための複数の入力信号用コンタクト対とに分けられて組み込んである構造であるコンタクト組立体と、
複数のシールドされているペア電線を有し、且つ、二本のワイヤが各ペア電線の端より露出している構成のケーブルと、
一側に上記コンタクト組立体のコンタクトと接続されるコンタクト接続用パッドを中継配線基板の表面のコンタクト接続用パッドと中継配線基板の裏面のコンタクト接続用パッドとが対をなす関係で有し、他側にケーブルの各ペア電線のワイヤが接続されるワイヤ接続用パッドを有し、コンタクト接続用パッドとワイヤ接続用パッドとをつなぐ配線パターンを有し、且つ、内部にグランド層を有する中継配線基板とを有し、
該中継配線基板が、そのコンタクト接続用パッドをコンタクトと接続されて上記コンタクト組立体の背面側に取り付けてあり、
且つ、上記ケーブルの各ペア電線の端のワイヤが上記ワイヤ接続用パッドと接続固定されている構成の平衡伝送用ケーブルコネクタにおいて、
上記中継配線基板は、上記配線パターンが、コンタクト接続用パッド側からワイヤ接続用パッド側に向かって扇状に拡がって形成してあり、上記出力信号用コンタクト対に接続されるコンタクト接続用パッドとつながっている出力信号用ワイヤ接続用パッドが該中継配線基板の表面及び裏面のうち一方の面に隣り合って配置され、上記入力信号用コンタクト対に接続されるコンタクト接続用パッドとつながっている入力信号用ワイヤ接続用パッドが該中継配線基板の反対側の面に隣り合って配置されている構成であり、
各ペア電線がその二本のワイヤが上記中継配線基板の同じ面の隣り合って対をなす出力信号用或いは入力信号用ワイヤ接続用パッドに接続固定されており、
上記出力信号用ワイヤ接続用パッドに接続固定してあるワイヤと上記入力信号用ワイヤ接続用パッドに接続固定してあるワイヤとの間が、上記中継配線基板の内部の上記グランド層によってシールドしてある構成としたことを特徴とする平衡伝送用ケーブルコネクタ。
【請求項５】
請求項４に記載の平衡伝送用ケーブルコネクタにおいて、
上記中継配線基板は、上記扇状に拡がって形成してある配線パターンが、上記中継配線基板の表面或いは裏面を延在する第１の配線パターンと、ビアを介して上記中継配線基板の表面と裏面とにまたがって延在する第２の配線パターンとよりなり、
一つの該第１の配線パターンと一つの該第２の配線パターンとが、上下に位置して対をなすコンタクト接続用パッドとを、左右に位置して対をなすワイヤ接続用パッドに変換させる構成としたことを特徴とする平衡伝送用ケーブルコネクタ。
【請求項６】
請求項５に記載の平衡伝送用ケーブルコネクタにおいて、
上記中継配線基板の表面の対をなす複数のワイヤ接続用パッドの並びの方向と、上記中継配線基板の裏面の対をなす複数のワイヤ接続用パッドの並びの方向とが、互いに逆方向であることを特徴とする平衡伝送用ケーブルコネクタ。
【発明の詳細な説明】
【技術分野】
【０００１】
本発明は平衡伝送用ケーブルコネクタに係り、特にケーブルの端に中継配線基板を介してコンタクト組立体が取り付けてある構成であり、且つ、複数のコンタクトが、平衡伝送可能に、且つ信号を入力する複数の入力コンタクトと信号を出力する複数の出力コンタクトとに分けられて設けてある構成の平衡伝送用ケーブルコネクタにおいて、入力信号と出力信号との間のクロストークを改善するようにした平衡伝送用ケーブルコネクタに関する。
【０００２】
データの伝送の方式としては、データ毎に一本の電線を使用する通常の伝送方式と、データ毎に対をなす二本の電線を使用して、伝送すべき＋信号とこの＋信号とは大きさが等しく逆向きの−信号とを同時に伝送する平衡伝送方式がある。平衡伝送方式は、通常の伝送方式に比べてノイズの影響を受けにくいという利点を有しており、信号を高速で伝送する分野において多く採用されつつある。
【０００３】
図１は例えばコンピュータ１とサーバ２との間が平衡伝送用ケーブルコネクタ１０で接続してある構成を示す。平衡伝送用ケーブルコネクタ１０は、ケーブル１１の両端にコネクタ部１２、２０を有している構成である。コネクタ部１２、２０は、夫々８つのコンタクト対（１）〜（８）を有する。コネクタ部１２のコンタクト対（１）〜（８）は、出力信号用のコンタクト対（１）〜（４）と入力信号用のコンタクト対（５）〜（８）とに分けてあり、コネクタ部２０のコンタクト対（１）〜（８）も、出力信号用のコンタクト対（１）〜（４）と入力信号用のコンタクト対（５）〜（８）とに分けてある。
【０００４】
コンピュータ１からの信号は、コネクタ部１２の出力信号用のコンタクト対（１）〜（４）、ケーブル１１、コネクタ部２０の入力信号用のコンタクト対（５）〜（８）を経てサーバ２に平衡伝送される。サーバ２からの信号は、コネクタ部２０の出力信号用のコンタクト対（１）〜（４）、ケーブル１１、コネクタ部１２の入力信号用のコンタクト対（５）〜（８）を経てコンピュータ１に平衡伝送される。
【０００５】
隣合う信号伝送路間のクロストークは、信号の伝送の方向が逆である入力信号伝送路と出力信号伝送路の間で発生し易い。
【背景技術】
【０００６】
図２（Ａ），（Ｂ）、図３及び図４は従来の平衡伝送用ケーブルコネクタ３０の一部を示す。Ｘ１−Ｘ２、Ｙ１−Ｙ２、Ｚ１−Ｚ２は夫々平衡伝送用ケーブルコネクタ３０の幅方向、長手方向、高さ方向である。Ｙ１は後方、Ｙ２は前方である。コンタクトの配列に関しては、Ｚ１−Ｚ２が列方向、Ｘ１−Ｘ２が行方向である。図２（Ａ）は平衡伝送用ケーブルコネクタ３０を斜め上側から見て示し、同図（Ｂ）は平衡伝送用ケーブルコネクタ３０を斜め下側から見上げて示す。図３は平衡伝送用ケーブルコネクタ３０の側面図であり、図４はケーブルの中継配線基板の端部への接続の状態を示す。
【０００７】
平衡伝送用ケーブルコネクタ３０は、コンタクト組立体３１と、中継配線基板４０と、平衡伝送用ケーブル１３０と、シールドカバー１５０とを有する。
【０００８】
図５はコンタクト組立体３１を一部分解して示す。図５に示すように、コンタクト組立体３１は、電気絶縁性のブロック体３２に、対をなす第１の信号コンタクト３３と第２信号コンタクト３４が対をなして列の方向（Ｚ１−Ｚ２方向）に並んでおり、且つ、この対をなす第１、第２の信号コンタクト３３，３４と、板状のグランドコンタクト３５とが行の方向（Ｘ１−Ｘ２方向）にピッチＰで交互に並んで組み込まれている構成である。ブロック体３２はＹ２側にプラグ本体部３２ａが突き出ている。このプラグ本体部３２ａには溝が並んで形成してある。第１、第２の信号コンタクト３３、３４は、第１、第２の信号コンタクト部３３ａ、３４ａと、第１、第２の指部３３ｂ、３４ｂとを有する。グランドコンタクト３５は、グランドコンタクト部３５ａとフォーク部３５ｂとを有する。第１、第２の信号コンタクト３３、３４及びグランドコンタクト３５はブロック体３２にＹ１側からＹ２方向に突き刺すようにして組み込んであり、第１の信号コンタクト部３３ａがプラグ本体部３２ａの上面に露出し、第２の信号コンタクト部３４ａがプラグ本体部３２ａの下面に露出し、グランドコンタクト部３５ａの上下端面がプラグ本体部３２ａの上下面に露出し、第１、第２の指部３３ｂ、３４ｂ及びフォーク部３５ｂがブロック体３２よりＹ１側に突き出している。
【０００９】
２つの信号コンタクトが一つのコンタクト対を構成する。コンタクト組立体３１は順に並んでいる８つのコンタクト対（１）〜（８）を有する。コンタクト対（１）〜（８）は、出力信号用のコンタクト対（１）〜（４）と入力信号用のコンタクト対（５）〜（８）とに分けてある。
【００１０】
図６（Ａ），（Ｂ）は中継配線基板４０を示す。図６（Ａ），（Ｂ）に示すように、中継配線基板４０は、略正方形の多層基板であり、内層にグランド層（図示せず）を有する。中継配線基板４０のＺ１側の表面４１には、Ｙ２側の辺に沿ってコンタクト接続用パッド５１〜５８が並んで、且つ、Ｙ１側の辺に沿ってワイヤ接続用パッド６１〜６８が並んで、且つ、コンタクト接続用パッド５１〜５８とワイヤ接続用パッド６１〜６８とを接続する配線パターン７１〜７８がＹ１−Ｙ２方向に平行に延在して形成してあり、且つ、残りの部分を占めるグランドパターン８０が形成してある。隣り合うコンタクト接続用パッド、隣り合う配線パターン、隣り合うワイヤ接続用パッドは、その間に存在しているグランドパターン８０によってシールドされている。中継配線基板４０のＺ２側の裏面４２には、Ｙ２側の辺に沿ってコンタクト接続用パッド９１〜９８が並んで、且つ、Ｙ１側の辺に沿ってワイヤ接続用パッド１０１〜１０８が並んで、且つ、コンタクト接続用パッド９１〜９８とワイヤ接続用パッド１０１〜１０８とを接続する配線パターン１１１〜１１８がＹ１−Ｙ２方向に平行に延在して形成してあり、且つ、残りの部分を占めるグランドパターン１２０が形成してある。隣り合うコンタクト接続用パッド、隣り合う配線パターン、隣り合うワイヤ接続用パッドは、その間に存在しているグランドパターン１２０によってシールドされている。
【００１１】
図７（Ａ）、（Ｂ）は平衡伝送用ケーブル１３０を示す。平衡伝送用ケーブル１３０は、図７（Ａ）に示すように、外部被覆１３７と遮蔽網線１３８とよりなる二重被覆構造のチューブの内部に８本のペア電線１４１〜１４８が収まっている構造である。各ペア電線１４１〜１４８は、図７（Ｂ）に示すように、平衡信号伝送用の対をなす第１、第２の被覆信号電線１３２−１、１３２−２とドレンワイヤ１３６とが螺旋状に巻かれた金属テープ１３５によって束ねられてシールドされている構造である。ペア電線１４１〜１４８の端からは、第１、第２の被覆信号電線１３２−１、１３２−２とドレンワイヤ１３６とが外側に延びており、第１、第２の被覆信号電線１３２−１、１３２−２の先端は処理されて裸の第１、第２の信号ワイヤ１３３−１、１３３−２が露出している。１３４−１、１３４−２は電気絶縁性の被覆部である。第１、第２の信号ワイヤ１３３−１、１３３−２がペア線を構成する。平衡伝送用ケーブル１３０の端は、クランプ部材（図示せず）によってかしめられている。
【００１２】
再度、図２及び図３を参照するに、コンタクト組立体３１のＹ１側に中継配線基板４０のＹ２側端が嵌合されて、コンタクト接続用パッド５１〜５８が第１の信号コンタクト３３の第１の指部３３ｂと半田付けされ、コンタクト接続用パッド９１〜９８が第２の信号コンタクト３４の第２の指部３４ｂと半田付けされ、グランドパターン８０、１２０の一部がグランドコンタクト３５のフォーク部３５ｂと半田付けされて固定してある。この状態で、ワイヤ接続用パッド６１、９１が出力信号用のコンタクト対（１）に、ワイヤ接続用パッド６２、９２が出力信号用のコンタクト対（２）に、ワイヤ接続用パッド６３、９３が出力信号用のコンタクト対（３）に、ワイヤ接続用パッド６４、９４が出力信号用のコンタクト対（４）に、ワイヤ接続用パッド６５、９５が入力信号用のコンタクト対（５）に、ワイヤ接続用パッド６６、９６が入力信号用のコンタクト対（６）に、ワイヤ接続用パッド６７、９７が入力信号用のコンタクト対（７）に、ワイヤ接続用パッド６８、９８が入力信号用のコンタクト対（８）に対応する。
【００１３】
また、平衡伝送用ケーブル１３０の端のペア電線１４１〜１４８がＸ１−Ｘ２方向に整線されており、各ペア電線１４１〜１４８の端より更に延びている第１、第２の信号ワイヤ１３３−１、１３３−２が中継配線基板４０のＹ１側の端に半田付け接続してある。各ペア電線１４１〜１４８は第１、第２の信号ワイヤ１３３−１、１３３−２が中継配線基板４０の端部の上下に分かれるようにされて、図４に示すように、第１の信号ワイヤ１３３−１がワイヤ接続用パッド６１〜６８に半田１６０によって半田付けしてあり、第２の信号ワイヤ１３３−２がワイヤ接続用パッド９１〜９８に半田１６１によって半田付けしてあり、ドレンワイヤ１３６はグランドパターン８０又は１２０に半田付けしてある。ペア電線１４１〜１４８の先端は、図４に示すように並んでいる。
【００１４】
コンタクト組立体３１のコンタクト対（１）は、コンタクト接続用パッド５１、９１、配線パターン７１、１１１、ワイヤ接続用パッド６１、１０１を介してペア電線１４１と電気的に接続されている。コンタクト組立体３１のコンタクト対（２）は、コンタクト接続用パッド５２、９２、配線パターン７２、１１２、ワイヤ接続用パッド６２、１０２を介してペア電線１４２と電気的に接続されている。コンタクト組立体３１のコンタクト対（３）は、コンタクト接続用パッド５３、９３、配線パターン７３、１１３、ワイヤ接続用パッド６３、１０３を介してペア電線１４３と電気的に接続されている。コンタクト組立体３１のコンタクト対（４）は、コンタクト接続用パッド５４、９４、配線パターン７４、１１４、ワイヤ接続用パッド６４、１０４を介してペア電線１４４と電気的に接続されている。コンタクト組立体３１のコンタクト対（５）は、コンタクト接続用パッド５５、９５、配線パターン７５、１１５、ワイヤ接続用パッド６５、１０５を介してペア電線１４５と電気的に接続されている。コンタクト組立体３１のコンタクト対（６）は、コンタクト接続用パッド５６、９６、配線パターン７６、１１６、ワイヤ接続用パッド６６、１０６を介してペア電線１４６と電気的に接続されている。コンタクト組立体３１のコンタクト対（７）は、コンタクト接続用パッド５７、９７、配線パターン７７、１１７、ワイヤ接続用パッド６７、１０７を介してペア電線１４７と電気的に接続されている。コンタクト組立体３１のコンタクト対（８）は、コンタクト接続用パッド５８、９８、配線パターン７８、１１８、ワイヤ接続用パッド６８、１０８を介してペア電線１４８と電気的に接続されている。即ち、ペア電線１４１〜１４４が夫々出力信号用のコンタクト対（１）〜（４）に対応し、ペア電線１４５〜１４８が夫々入力信号用のコンタクト対（５）〜（８）に対応している。
【特許文献１】特開２００３−０５９５９３号公報
【発明の開示】
【発明が解決しようとする課題】
【００１５】
上記の平衡伝送用ケーブルコネクタ３０において、出力信号用のコンタクト対（４）の信号伝送路と入力信号用のコンタクト対（５）の信号伝送路とが隣り合っている。この出力信号用のコンタクト対（４）の信号伝送路と入力信号用のコンタクト対（５）の信号伝送路とについてみると、コンタクト組立体３１ではグランドコンタクト３５によってシールドされており、中継配線基板４０の部分ではグランドパターン８０及び１２０によってシールドされている。しかし、ペア電線１４４の端の中継配線基板４０に半田付けされている第１、第２の信号ワイヤ１３３−１、１３３−２とペア電線１４５の端の中継配線基板４０に半田付けされている第１、第２の信号ワイヤ１３３−１、１３３−２ととの間はシールドされていない。このため、このシールドされていない部分で矢印１７０，１７１で示すようにクロストークが発生することあった。
【００１６】
本発明は、上記の点に鑑みなされたものであり、クロストークの改善を図った平衡伝送用ケーブルコネクタを提供することを目的とする。
【課題を解決するための手段】
【００１７】
そこで、上記課題を解決するため、本発明は、電気絶縁性のブロック体に複数のコンタクトが、平衡伝送可能に複数の対をなし、且つ、この複数の対が、信号を出力するための複数の出力信号用コンタクト対と信号を入力するための複数の入力信号用コンタクト対とに分けられて組み込んである構造であるコンタクト組立体と、
複数のシールドされているペア電線を有し、且つ、二本のワイヤが各ペア電線の端より露出している構成のケーブルと、
一側に上記コンタクト組立体のコンタクトと接続されるコンタクト接続用パッドを中継配線基板の表面のコンタクト接続用パッドと中継配線基板の裏面のコンタクト接続用パッドとが対をなす関係で有し、他側にケーブルの各ペア電線のワイヤが接続されるワイヤ接続用パッドを有し、コンタクト接続用パッドとワイヤ接続用パッドとをつなぐ配線パターンを有し、且つ、内部にグランド層を有する中継配線基板とを有し、
該中継配線基板が、そのコンタクト接続用パッドをコンタクトと接続されて上記コンタクト組立体の背面側に取り付けてあり、
且つ、上記ケーブルの各ペア電線の端のワイヤが上記ワイヤ接続用パッドと接続固定されている構成の平衡伝送用ケーブルコネクタにおいて、
上記中継配線基板は、上記配線パターンが、コンタクト接続用パッド側からワイヤ接続用パッド側に向かって扇状に拡がって形成してあり、上記出力信号用コンタクト対に接続されるコンタクト接続用パッドとつながっている出力信号用ワイヤ接続用パッドが該中継配線基板の表面及び裏面のうち一方の面に隣り合って配置され、上記入力信号用コンタクト対に接続されるコンタクト接続用パッドとつながっている入力信号用ワイヤ接続用パッドが該中継配線基板の反対側の面に隣り合って配置されている構成であり、
各ペア電線がその二本のワイヤが上記中継配線基板の同じ面の隣り合って対をなす出力信号用或いは入力信号用ワイヤ接続用パッドに接続固定されており、
上記出力信号用ワイヤ接続用パッドに接続固定してあるワイヤと上記入力信号用ワイヤ接続用パッドに接続固定してあるワイヤとの間が、上記中継配線基板の内部の上記グランド層によってシールドしてある構成としたことを特徴とする。
【発明の効果】
【００１８】
本発明によれば、中継配線基板の内部のグランド層でもって、出力信号が伝送される経路のうち露出している部分であるワイヤの部分と、入力信号が伝送される経路のうち露出している部分であるワイヤの部分との間をシールドすることが可能である。即ち、追加の部品を使用しないで、中継配線基板の配線パターンを変更するだけで、出力信号と入力信号との間のクロストークを抑制するように改善することが出来る。
【発明を実施するための最良の形態】
【００１９】
次に本発明の実施の形態について説明する。
【実施例１】
【００２０】
図８、図９及び図１０は本発明の実施例１の平衡伝送用ケーブルコネクタ３０Ａの一部を示す。Ｘ１−Ｘ２、Ｙ１−Ｙ２、Ｚ１−Ｚ２は夫々平衡伝送用ケーブルコネクタ３０Ａの幅方向、長手方向、高さ方向である。Ｙ１は後方、Ｙ２は前方である。コンタクトの配列に関しては、Ｚ１−Ｚ２が列方向、Ｘ１−Ｘ２が行方向である。図８は平衡伝送用ケーブルコネクタ３０Ａを斜め上側から見て示し、図９は平衡伝送用ケーブルコネクタ３０Ａを斜め下側から見上げて示す。図１０は平衡伝送用ケーブルコネクタ３０Ａの側面図である。図１１はケーブルの中継配線基板の端部への接続の状態を示す。
【００２１】
各図中、図２（Ａ）、（Ｂ）、図３、図４に示す構成部分と同じ構成部分には、同じ符号を付す。
【００２２】
この平衡伝送用ケーブルコネクタ３０Ａは、図２、図３、図４に示す平衡伝送用ケーブルコネクタ３０とは、中継配線基板２００の構造及びペア電線１４１〜１４８の配置が相違し、その他の部分、従来と同じ構成であり、対応する部分には同じ符号を付す。
【００２３】
平衡伝送用ケーブルコネクタ３０Ａは、コンタクト組立体３１と、中継配線基板２００と、平衡伝送用ケーブル１３０と、シールドカバー１５０とを有する。
【００２４】
コンタクト組立体３１は従来と同じ構成であり、対応する部分には同じ符号を付しその説明は省略する。コンタクト組立体３１は順に並んでいる８つのコンタクト対（１）〜（８）を有する。コンタクト対（１）〜（８）は、出力信号用のコンタクト対（１）〜（４）と入力信号用のコンタクト対（５）〜（８）との二つのグループに分けてある。
【００２５】
図１２、図１３及び図１４は中継配線基板２００を示す。中継配線基板２００は、図６（Ａ），（Ｂ）に示す中継配線基板４０とは、ワイヤ接続用パッドの対を形成する構成、及び、このための配線パターンの構成が、相違する。Ｙ２側のコンタクト接続用パッドは、図６（Ａ），（Ｂ）に示す中継配線基板４０と同じく、表面側のパッドとこの裏面側のパッドとが一つのコンタクト対に対応する構成である。これに対して、Ｙ１側のワイヤ接続用パッドは、表面側の隣り合うパッドが一つのコンタクト対に対応し、且つ裏面の隣り合うパッドが一つのコンタクト対に対応し、且つ、表面側の４対のワイヤ接続用パッド対（１）〜（４）が出力信号用のコンタクト対（１）〜（４）に対応し、裏面側の４対のワイヤ接続用パッド対（５）〜（８）が入力信号用のコンタクト対（５）〜（８）に対応する構成である。配線パターンは、表面側と裏面側とで対をなす関係を、表面側だけ或いは裏面側だけで対をなす関係に変換できるように形成してあり、ビアを有している。
【００２６】
中継配線基板２００は、略正方形の多層基板であり、図１４に示すように、内層に二つのグランド層２０１、２０２を有する。
【００２７】
図１２に示すように、中継配線基板２００のＺ１側の表面２００ａには、Ｙ２側の辺に沿ってコンタクト接続用パッド２１１〜２１８が並んで、且つ、Ｙ１側の辺に沿ってワイヤ接続用パッド２２１〜２２８が並んで形成してある。図１３に示すように、中継配線基板２００のＺ１側の裏面２００ｂには、Ｙ２側の辺に沿ってコンタクト接続用パッド２３１〜２３８が並んで、且つ、Ｙ１側の辺に沿ってワイヤ接続用パッド２４１〜２４８が並んで形成してある。
【００２８】
配線パターン及びビアは、特定のコンタクト接続用パッドと特定のワイヤ接続用パッドとを接続するように以下のように形成してある。
【００２９】
出力信号用のコンタクト対（１）について：
コンタクト接続用パッド２１１−配線パターン２５０−ワイヤ接続用パッド２２１
コンタクト接続用パッド２３１−配線パターン２５１−ビア２５２−配線パターン２５３−ワイヤ接続用パッド２２２
出力信号用のコンタクト対（２）について：
コンタクト接続用パッド２１２−配線パターン２６０−ワイヤ接続用パッド２２３
コンタクト接続用パッド２３２−配線パターン２６１−ビア２６２−配線パターン２６３−ワイヤ接続用パッド２２４
出力信号用のコンタクト対（３）について：
コンタクト接続用パッド２１３−配線パターン２７０−ワイヤ接続用パッド２２５
コンタクト接続用パッド２３３−配線パターン２７１−ビア２７２−配線パターン２７３−ワイヤ接続用パッド２２６
出力信号用のコンタクト対（４）について：
コンタクト接続用パッド２１４−配線パターン２８０−ワイヤ接続用パッド２２７
コンタクト接続用パッド２３４−配線パターン２８１−ビア２８２−配線パターン２８３−ワイヤ接続用パッド２２８
入力信号用のコンタクト対（５）について：
コンタクト接続用パッド２１５−配線パターン２９０−ビア２９１−配線パターン２９２−ワイヤ接続用パッド２４１
コンタクト接続用パッド２３５−配線パターン２９３−ワイヤ接続用パッド２４２
入力信号用のコンタクト対（６）について：
コンタクト接続用パッド２１６−配線パターン３００−ビア３０１−配線パターン３０２−ワイヤ接続用パッド２４３
コンタクト接続用パッド２３６−配線パターン３０３−ワイヤ接続用パッド２４４
入力信号用のコンタクト対（７）について：
コンタクト接続用パッド２１７−配線パターン３１０−ビア３１１−配線パターン３１２−ワイヤ接続用パッド２４５
コンタクト接続用パッド２３７−配線パターン３１３−ワイヤ接続用パッド２４６
入力信号用のコンタクト対（８）について：
コンタクト接続用パッド２１８−配線パターン３２０−ビア３２１−配線パターン３２２−ワイヤ接続用パッド２４７
コンタクト接続用パッド２３８−配線パターン３２３−ワイヤ接続用パッド２４８
また、中継配線基板２００の表面２００ａ及び裏面２００ｂには、グランドパターン３３０、３３１が、パッド及び配線パターンを囲み、且つ隣り合うパッドの間の隙間及び隣り合う配線パターンの間の隙間を埋めるように形成してある。
【００３０】
また、上記の配線パターン２５０，２５１，２５３等は、コンタクト接続用パッド２１１等側からワイヤ接続用パッド２２１等側に向かって扇状に拡がって且つ同じ面上では交差せずに形成してある。また、上記の配線パターン２５０，２５１，２５３等は、中継配線基板２００の表面２００ａ或いは裏面２００ｂを延在する第１の配線パターンと、ビア２５２等を介して上記中継配線基板の表面２００ａと裏面２００ｂとにまたがって延在する第２の配線パターンとよりなる。
【００３１】
ワイヤ接続用パッド２２１、２２２がワイヤ接続用パッド対（１）、ワイヤ接続用パッド２２３、２２４がワイヤ接続用パッド対（２）、ワイヤ接続用パッド２２５、２２６がワイヤ接続用パッド対（３）、ワイヤ接続用パッド２２７、２２８がワイヤ接続用パッド対（４）を構成する。ワイヤ接続用パッド２４１、２４２がワイヤ接続用パッド対（５）、ワイヤ接続用パッド２４３、２４４がワイヤ接続用パッド対（６）、ワイヤ接続用パッド２４５、２４６がワイヤ接続用パッド対（７）、ワイヤ接続用パッド２４７、２４８がワイヤ接続用パッド対（８）を構成する。ワイヤ接続用パッド対（１）〜（４）は中継配線基板２００の表面２００ａ上に並んでおり、ワイヤ接続用パッド対（５）〜（８）は中継配線基板２００の裏面２００ｂ上に並んでいる。ワイヤ接続用パッド対（１）〜（４）の並びの方向は、Ｘ２からＸ１の方向であり、出力信号用のコンタクト対（１）〜（４）の並びの方向と同じである。ワイヤ接続用パッド対（５）〜（８）の並びの方向は、Ｘ１からＸ２の方向であり、出力信号用のコンタクト対（５）〜（８）の並びの方向及びワイヤ接続用パッド対（１）〜（４）の並びの方向とは逆である。
【００３２】
平衡伝送用ケーブル１３０は図７（Ａ）、（Ｂ）に平衡伝送用ケーブル１３０と同じである。ペア電線１４１〜１４８は、Ｚ１側にＸ１−Ｘ２方向に４本、Ｚ２側にＸ１−Ｘ２方向に４本並んでいる。各ペア電線１４１〜１４８は、第１、第２の信号ワイヤ１３３−１、１３３−２がＸ１−Ｘ２方向に並ぶ向きにある。
【００３３】
再度、図８乃至図１１を参照するに、コンタクト組立体３１のＹ１側に中継配線基板２００のＹ２側端が嵌合されて、コンタクト接続用パッド５１〜５８が第１の信号コンタクト３３の第１の指部３３ｂと半田付けされ、コンタクト接続用パッド９１〜９８が第２の信号コンタクト３４の第２の指部３４ｂと半田付けされ、グランドパターン２８０、２８１の一部がグランドコンタクト３５のフォーク部４３ｂと半田付けされて固定してある。この状態で、ワイヤ接続用パッド２２１，２２２が出力信号用のコンタクト対（１）に、ワイヤ接続用パッド２２３，２２４が出力信号用のコンタクト対（２）に、ワイヤ接続用パッド２２５、２２６が出力信号用のコンタクト対（３）に、ワイヤ接続用パッド２２７，２２８が出力信号用のコンタクト対（４）に、ワイヤ接続用パッド２４１，２４２が入力信号用のコンタクト対（５）に、ワイヤ接続用パッド２４３、２４４が入力信号用のコンタクト対（６）に、ワイヤ接続用パッド２４５，２４６が入力信号用のコンタクト対（７）に、ワイヤ接続用パッド２４７、２４８が入力信号用のコンタクト対（８）に対応する。
【００３４】
平衡伝送用ケーブル１３０の端のペア電線１４１〜１４８のうち４本のペア電線１４１〜１４４が中継配線基板２００のＹ１側の端の上面側にＸ１−Ｘ２方向に整線されて、ペア電線１４１については第１、第２の信号ワイヤ１３３−１、１３３−２が夫々ワイヤ接続用パッド２２１，２２２に、ペア電線１４２については第１、第２の信号ワイヤが夫々ワイヤ接続用パッド２２３，２２４に、ペア電線１４３については第１、第２の信号ワイヤが夫々ワイヤ接続用パッド２２５，２２６に、ペア電線１４４については第１、第２の信号ワイヤが夫々ワイヤ接続用パッド２２７，２２８に半田２９０，２９１によって半田付けされている。残りの４本のペア電線１４５〜１４８は中継配線基板２００のＹ１側の端の下面側にＸ１−Ｘ２方向に整線されて、ペア電線１４５については第１、第２の信号ワイヤ１３３−１、１３３−２が夫々ワイヤ接続用パッド２４１，２４２に、ペア電線１４６については第１、第２の信号ワイヤが夫々ワイヤ接続用パッド２４３，２４４に、ペア電線１４７については第１、第２の信号ワイヤが夫々ワイヤ接続用パッド２４５，２４６に、ペア電線１４８については第１、第２の信号ワイヤが夫々ワイヤ接続用パッド２４７，２４８に半田２９０，２９１によって半田付けされている。
【００３５】
コンタクト組立体３１の出力信号用のコンタクト対（１）は、コンタクト接続用パッド２１１、２３１、配線パターン２５０、配線パターン２５１、ビア２５２、配線パターン２５３、ワイヤ接続用パッド２２１、２２２を介してペア電線１４１と電気的に接続されている。コンタクト組立体３１の出力信号用のコンタクト対（２）は、コンタクト接続用パッド２１２、２３２、配線パターン２６０、配線パターン２６１、ビア２６２、配線パターン２６３、ワイヤ接続用パッド２２３、２２４を介してペア電線１４２と電気的に接続されている。コンタクト組立体３１の出力信号用のコンタクト対（３）は、コンタクト接続用パッド２１３、２３３、配線パターン２７０、配線パターン２７１、ビア２７２、配線パターン２７３、ワイヤ接続用パッド２２５、２２６を介してペア電線１４３と電気的に接続されている。コンタクト組立体３１の出力信号用のコンタクト対（４）は、コンタクト接続用パッド２１４、２３４、配線パターン２８０、配線パターン２８１、ビア２８２、配線パターン２８３、ワイヤ接続用パッド２２７，２２８を介してペア電線１４４と電気的に接続されている。
【００３６】
コンタクト組立体３１の入力信号用コンタクト対（５）は、コンタクト接続用パッド２１５、２３５、配線パターン２９０、ビア２９１、配線パターン２９２、配線パターン２９３、ワイヤ接続用パッド２４１、２４２を介してペア電線１４５と電気的に接続されている。コンタクト組立体３１の入力信号用コンタクト対（６）は、コンタクト接続用パッド２１６、２１７、配線パターン３００、ビア３０１、配線パターン３０２、配線パターン３０３、ワイヤ接続用パッド２４３、２４４を介してペア電線１４６と電気的に接続されている。コンタクト組立体３１の入力信号用コンタクト対（７）は、コンタクト接続用パッド２１７、２３７、配線パターン３１０、ビア３１１、配線パターン３１２、配線パターン３１３、ワイヤ接続用パッド２４５、２４６を介してペア電線１４７と電気的に接続されている。コンタクト組立体３１の入力信号用コンタクト対（８）は、コンタクト接続用パッド２１８、２３８、配線パターン３２０、ビア３２１、配線パターン３２２、配線パターン３２３、ワイヤ接続用パッド２４７、２４８を介してペア電線１４８と電気的に接続されている。
【００３７】
即ち、ペア電線１４１〜１４４が夫々出力信号用のコンタクト対（１）〜（４）に対応し、ペア電線１４５〜１４８が夫々入力信号用のコンタクト対（５）〜（８）に対応している。
【００３８】
図１４に示すように、出力信号用のペア電線１４１〜１４４の各第１、第２の信号ワイヤ１３３−１、１３３−２と、入力信号用のペア電線１４５〜１４８の各第１、第２の信号ワイヤ１３３−１、１３３−２との間は、内層である二つのグランド層２０１、２０２によってシールドされている。よって、出力信号と入力信号との間でクロストークが発生することが防止される。
【実施例２】
【００３９】
図１５及び図１６は本発明の実施例２の平衡伝送用ケーブルコネクタ３０Ｂの一部を示す。
【００４０】
平衡伝送用ケーブルコネクタ３０Ｂは、図２（Ａ），（Ｂ）に示す平衡伝送用ケーブルコネクタ３０に、シールド部材４００が取り付けてある構成である。
【００４１】
シールド部材４００は、図１８に拡大して示すように板状の金属板部材であり、中継配線基板４０を挟む挟み部４０１を有し、長さＬ１は、金属テープ１３５の端より露出している第１、第２の被覆信号電線１３２−１、１３２−２の部分の長さＬ２よりも長い。
【００４２】
このシールド部材４００は、隣り合っている出力信号用ペア電線１４４と入力信号用ペア電線１４５との間に、挟み部４０１を中継配線基板４０のＹ１側端に嵌合させて、挟み部４０１でもって中継配線基板４０のＹ１側部分を挟んで、グランドパターン８０、１２０と電気的に接続された状態で取り付けてある。
【００４３】
取り付けてあるシールド部材４００によって、隣り合っている出力信号用のペア電線１４４の金属テープ１３５の端より露出している第１、第２の被覆信号電線１３２−１、１３２−２の部分と、入力信号用のペア電線１４５の金属テープ１３５の端より露出している第１、第２の被覆信号電線１３２−１、１３２−２の部分との間がシールドされており、ペア電線１４４を伝送される出力信号とペア電線１４５を伝送される入力信号との間でクロストークが発生することが防止される。
【００４４】
更に、シールド部材４００は図８に示す平衡伝送用ケーブルコネクタ３０Ａに取り付けることも可能である。
【図面の簡単な説明】
【００４５】
【図１】平衡伝送用ケーブルコネクタが使用されている例を示す図である。
【図２】従来の平衡伝送用ケーブルコネクタをシールドカバーを取り外した状態で示す斜視図である。
【図３】従来の平衡伝送用ケーブルコネクタの側面図である。
【図４】ペア電線が中継配線基板に接続固定されて並んでいる状態を示す、図３中、IV-IV線に沿う断面図である。
【図５】コンタクト組立体の分解斜視図である。
【図６】中継配線基板を示す斜視図である。
【図７】平衡伝送用ケーブルを示す図である。
【図８】本発明の実施例１の平衡伝送用ケーブルコネクタをシールドカバーを取り外した状態で示す斜視図である。
【図９】図８の平衡伝送用ケーブルコネクタを下方から見て示す斜視図である。
【図１０】図８の平衡伝送用ケーブルコネクタの側面図である。
【図１１】ペア電線が中継配線基板に接続固定されて並んでいる状態を示す、図１０中、XI-XI線に沿う断面図である。
【図１２】中継配線基板を上方からみて示す斜視図である。
【図１３】中継配線基板を下方からみて示す斜視図である。
【図１４】図１２中、XIV-XIV線に沿う中継配線基板の断面図である。
【図１５】本発明の実施例２の平衡伝送用ケーブルコネクタをシールドカバーを取り外した状態で示す斜視図である。
【図１６】図１５の平衡伝送用ケーブルコネクタの側面図である。
【図１７】ペア電線が中継配線基板に接続固定されて並んでおりシールド部材でシールドされている状態を示す、図１６中、XVII-XVII線に沿う断面図である。
【図１８】シールド部材を示す図である。
【符号の説明】
【００４６】
３０Ａ，３０Ｂ  平衡伝送用ケーブルコネクタ
１３０  平衡伝送用ケーブル
１４１〜１４８  ペア電線
２００  中継配線基板
２０１、２０２  グランド層
２１１〜２１８、２３１〜２３８  コンタクト接続用パッド
２２１〜２２８、２４１〜２４８  ワイヤ接続用パッド
２５０，２５１，２５３，２６０，２６１，２６３，２７０，２７１，２７３，２８０，２８１，２８３，２９０，２９２，２９３，３００，３０２，３０３，３１０，３１２，３１３，３２０，３２２，３２３，３３０，３３２，３３３  配線パターン
２５２，２６２，２７２，２８２，２９１，３０１，３１１，３２１  ビア
３３０、３３１  グランドパターン
４００  シールド部材
【図１】
2006073269.tif 000003
【図２】
2006073269.tif 000004
【図３】
2006073269.tif 000005
【図４】
2006073269.tif 000006
【図５】
2006073269.tif 000007
【図６】
2006073269.tif 000008
【図７】
2006073269.tif 000009
【図８】
2006073269.tif 000010
【図９】
2006073269.tif 000011
【図１０】
2006073269.tif 000012
【図１１】
2006073269.tif 000013
【図１２】
2006073269.tif 000014
【図１３】
2006073269.tif 000015
【図１４】
2006073269.tif 000016
【図１５】
2006073269.tif 000017
【図１６】
2006073269.tif 000018
【図１７】
2006073269.tif 000019
【図１８】
2006073269.tif 000020